(57)【特許請求の範囲】
【請求項１】
一対の表面板間にコア材を介在してなるパネル本体と、上記パネル本体の一方の表面板上の所定位置に設置される取付金具と、上記取付金具に設けられた取付孔を貫通して上記表面板の裏面側に配設される取付座にねじ結合することによって取付金具を固定する固定ボルトとを具備する積層パネルにおいて、
上記取付金具と固定ボルトの頭部との間に、取付金具の取付孔を塞ぐ大きさのシートパッキンと、このシートパッキンを上記取付金具に押圧するパッキン押えを介在してなる、ことを特徴とする積層パネルの雨仕舞構造。
【請求項２】
一対の表面板間にコア材を介在してなるパネル本体と、上記パネル本体の一方の表面板上の所定位置に設置される取付金具と、上記取付金具に設けられた取付孔を貫通して上記表面板の裏面側に配設される取付座にねじ結合することによって取付金具を固定する固定ボルトとを具備する積層パネルにおいて、
上記固定ボルトのねじ部と少なくとも上記取付座に設けられるねじ孔との間に水膨潤ゴム部材を介在してなる、ことを特徴とする積層パネルの雨仕舞構造。
【請求項３】
請求項２記載の積層パネルの雨仕舞構造において、
上記水膨潤シール部材が、予めパネル本体に設けられた取付孔に係止固定される外向きフランジ付の筒状部を有する、ことを特徴とする積層パネルの雨仕舞構造。
【請求項４】
請求項３記載の積層パネルの雨仕舞構造において、
上記水膨潤シール部材が、肉薄の底部を具備する、ことを特徴とする積層パネルの雨仕舞構造。
【請求項５】
一対の表面板間にコア材を介在してなるパネル本体と、上記パネル本体の一方の表面板上の所定位置に設置される取付金具と、上記取付金具に設けられた取付孔を貫通して上記表面板の裏面側に配設される取付座にねじ結合することによって取付金具を固定する固定ボルトとを具備する積層パネルにおいて、
上記取付座のねじ部を有底状に形成してなる、ことを特徴とする積層パネルの雨仕舞構造。
【請求項６】
請求項１ないし５のいずれかに記載の積層パネルの雨仕舞構造において、
上記表面板の辺部間に中空状枠材を介在させてパネル本体を形成すると共に、上記枠材における表面板の当接片裏面に取付座を当接し、かつ、上記表面板と枠材及び枠材と取付座とをろう付してなる、ことを特徴とする積層パネルの雨仕舞構造。
【請求項７】
請求項５又は６記載の積層パネルの雨仕舞構造において、
上記取付座における枠材の当接片裏面に当接する面に、凹凸細条を形成してなる、ことを特徴とする積層パネルの雨仕舞構造。
【請求項８】
一対の表面板間にコア材を介在してなるパネル本体と、上記パネル本体の一方の表面板上の所定位置に設置される取付金具と、上記取付金具に設けられた取付孔を貫通して上記表面板の裏面側に配設される取付座にねじ結合することによって取付金具を固定する固定ボルトとを具備する積層パネルにおいて、
上記取付座を断面略逆ハット状の形材にて形成すると共に、この形材の凹溝の内側面に凹溝の深さ方向に連続する凹凸条を形成し、この凹凸条を固定ボルトにねじ結合可能にした、ことを特徴とする積層パネルの雨仕舞構造。
【請求項９】
請求項８記載の積層パネルの雨仕舞構造において、
上記表面板の辺部間に中空状枠材を介在させてパネル本体を形成し、上記枠材の側壁と形材の端部とを当接させると共に、枠材の側壁に、形材の凹溝と連通する連通口を穿設してなる、ことを特徴とする積層パネルの雨仕舞構造。
【請求項１０】
請求項８又は９記載の積層パネルの雨仕舞構造において、上記表面板と枠材、表面板と取付座及び枠材と取付座とをろう付してなる、ことを特徴とする積層パネルの雨仕舞構造。
【請求項１１】
一対の表面板間にコア材を介在してなるパネル本体と、上記パネル本体の一方の表面板上の所定位置に設置される取付金具と、上記取付金具に設けられた取付孔を貫通して上記表面板の裏面側に配設される取付座にねじ結合することによって取付金具を固定する固定ボルトとを具備する積層パネルにおいて、
上記取付座を、取付座本体と、この取付座本体に貫挿固定され、かつ、その端部が表面板と略同一面に位置するねじ部材とで構成すると共に、ねじ部材と表面板とをろう付してなる、ことを特徴とする積層パネルの雨仕舞構造。
【請求項１２】
請求項１１記載の積層パネルの雨仕舞構造において、
上記表面板の辺部間に中空状枠材を介在させてパネル本体を形成すると共に、上記枠材における表面板の当接片裏面に取付座本体を当接し、かつ、上記表面板と枠材、枠材と取付座本体及び枠材とねじ部材とをろう付してなる、ことを特徴とする積層パネルの雨仕舞構造。
【請求項１３】
請求項１１又は１２記載の積層パネルの雨仕舞構造において、
上記ねじ部材を有底状に形成してなる、ことを特徴とする積層パネルの雨仕舞構造。
【請求項１４】
請求項１ないし１３のいずれかに記載の積層パネルの雨仕舞構造において、
上記固定ボルトを、少なくともこの固定ボルトのねじ部にシール剤を塗布したシールボルトにて形成してなる、ことを特徴とする積層パネルの雨仕舞構造。
【発明の詳細な説明】
【０００１】
【発明の属する技術分野】
この発明は積層パネルの雨仕舞構造に関するもので、更に詳細には、表面板間にコア材を介在するパネル本体の表面に取付金具をボルト止めする積層パネルの雨仕舞構造に関するものである。
【０００２】
【従来の技術】
一般に、一対のアルミニウム合金製の表面板と、表面板間に介在されるアルミニウム合金製のコア材とを一体ろう付したハニカムパネルは、軽量で遮光性等に優れているため、内装や外装等の建材として広く使用されている。
【０００３】
上記ハニカムパネルを躯体や支柱等に取り付けるには、一般に、図２１に示すように、一対の表面板１間に例えば中空円筒状のコア材２を介在したパネル本体３の表面板１の適宜箇所に、取付金具５を固定ボルト６にて固定し、この取付金具５のブラケット部５ａに取付部材（図示せず）を連結するなどしている。
【０００４】
また、上記取付金具５をパネル本体３に固定するには、取付金具５に設けられた長孔状の取付孔７を貫通する固定ボルト６を表面板１の裏面側に配設されたナット８にねじ結合している（図２２参照）。この場合、ナット８は例えばステンレス製部材にて形成されており、図２２に示すように、表面板１の辺部間に介在される中空状枠材４の中空部内に配設されるステンレス製の取付座９に予め溶接等にて固着されている。なお、枠材４と表面板１はろう材Ｒを介してろう付されている。また、取付金具５と表面板１との間にはシート状のゴムパッキンＰが介在されている。
【０００５】
上記のようにして、パネル本体３に取付金具５を取り付ける構造においては、図２３に示すように、取付金具５の取付孔７、取付座９と枠材４との当接部Ａあるいは固定ボルト６の雄ねじ部とナット８の雌ねじ部とのねじ結合部Ｂの箇所から雨水等がパネル本体３内に侵入する場合が多分にあり、特に冬期間は当該箇所から侵入した雨水等が凍結して、取付座９付近の構造を破損する恐れがあり、安全面やパネルの強度面においても好ましくなかった。
【０００６】
そこで、従来では、上記のような状態を回避する手段として、取付座９のナット８に固定ボルト６をねじ結合して取付金具５を固定した後、取付座９及び取付金具５の周辺をコーキング剤Ｃによってシールする手段が採用されている（図２１（ｂ）参照）。
【０００７】
【発明が解決しようとする課題】
しかしながら、取付座９及び取付金具５の周辺をコーキング剤Ｃによってシールするには、コーキング剤Ｃの塗布や充填に多大な労力を要すると共に、余分な経費が嵩むなど、作業性及びコスト面において問題があった。また、コーキング剤Ｃの塗布・充填を十分に行うことは難しく、雨仕舞の信頼性の面やメンテナンスの面で改善の余地があった。
【０００８】
この発明は上記事情に鑑みなされたもので、簡単な構造で、取付金具の取付部の雨仕舞を良好にした積層パネルの雨仕舞構造を提供することを目的とするものである。
【０００９】
【課題を解決するための手段】
上記目的を達成するために、請求項１記載の発明は、一対の表面板間にコア材を介在してなるパネル本体と、上記パネル本体の一方の表面板上の所定位置に設置される取付金具と、上記取付金具に設けられた取付孔を貫通して上記表面板の裏面側に配設される取付座にねじ結合することによって取付金具を固定する固定ボルトとを具備する積層パネルにおいて、  上記取付金具と固定ボルトの頭部との間に、取付金具の取付孔を塞ぐ大きさのシートパッキンと、このシートパッキンを上記取付金具に押圧するパッキン押えを介在してなる、ことを特徴とする。
【００１０】
このように構成することにより、取付金具の取付孔と固定ボルトとの隙間をシートパッキンにて閉塞することができるので、外部からパネル本体内への雨水等の侵入を阻止することができる。
【００１１】
請求項２記載の発明は、一対の表面板間にコア材を介在してなるパネル本体と、上記パネル本体の一方の表面板上の所定位置に設置される取付金具と、上記取付金具に設けられた取付孔を貫通して上記表面板の裏面側に配設される取付座にねじ結合することによって取付金具を固定する固定ボルトとを具備する積層パネルにおいて、  上記固定ボルトのねじ部と少なくとも上記取付座に設けられるねじ孔との間に水膨潤シール部材を介在してなる、ことを特徴とする。
この場合、上記水膨潤シール部材として、例えば水膨張性ポリウレタン等の材料を使用することができる。また、水膨潤シール部材を、予めパネル本体に設けられた取付孔に係止固定される外向きフランジ付の筒状部を有する筒状体にて形成することができる（請求項３）。なお、この場合、水膨潤シール部材を構成する筒状部に、固定ボルトによって切裂き可能な肉薄の底部を形成してもよい（請求項４）。
【００１２】
このように構成することにより、予めパネル本体に設けられた取付孔に係止固定される水膨潤シール部材を介して固定ボルトを取付座にねじ結合することで、固定ボルトのねじ部と取付座のねじ孔との間に水膨潤シール部材を巻き込んだ状態で介在させることができる。したがって、固定ボルトとパネル本体及び取付座との隙間を水膨潤シール部材にてシールすることができるので、外部からパネル本体内への雨水等の侵入を阻止することができる。しかも、水膨潤シール部材は、雨水等の水分と接触することにより膨張するので、更にシール性の向上を図ることができる。また、水膨潤シール部材に底部を形成することにより、使用前（取付金具の取付前）には、取付孔のシールキャップとして使用することができる（請求項４）。
【００１３】
請求項５記載の発明は、一対の表面板間にコア材を介在してなるパネル本体と、上記パネル本体の一方の表面板上の所定位置に設置される取付金具と、上記取付金具に設けられた取付孔を貫通して上記表面板の裏面側に配設される取付座にねじ結合することによって取付金具を固定する固定ボルトとを具備する積層パネルにおいて、  上記取付座のねじ部を有底状に形成してなる、ことを特徴とする。
【００１４】
このように構成することにより、固定ボルトと取付座のねじ部を伝わって侵入する雨水等を取付座の底部で受け止めることができ、雨水等がパネル本体内へ侵入するのを防止することができる。
【００１５】
上記請求項１ないし５のいずれかに記載の発明において、上記表面板の辺部間に中空状枠材を介在させてパネル本体を形成すると共に、上記枠材における表面板の当接片裏面に取付座を当接し、かつ、上記表面板と枠材及び枠材と取付座とをろう付する方が好ましい（請求項６）。また、上記取付座における枠材の当接片裏面に当接する面に、凹凸細条を形成する方が好ましい（請求項７）。
【００１６】
このように構成することにより、コア材側への雨水等の侵入を更に少なくすることができると共に、取付金具の取付を強固にすることができる。
【００１７】
また、請求項８記載の発明は、一対の表面板間にコア材を介在してなるパネル本体と、上記パネル本体の一方の表面板上の所定位置に設置される取付金具と、上記取付金具に設けられた取付孔を貫通して上記表面板の裏面側に配設される取付座にねじ結合することによって取付金具を固定する固定ボルトとを具備する積層パネルにおいて、  上記取付座を断面略逆ハット状の形材にて形成すると共に、この形材の凹溝の内側面に凹溝の深さ方向に連続する凹凸条を形成し、この凹凸条を固定ボルトにねじ結合可能にした、ことを特徴とする。
【００１８】
このように構成することにより、固定ボルトと形材の凹凸条とのねじ部を伝わって侵入する雨水等を凹溝の底部で受け止めることができ、雨水等がパネル本体内へ侵入するのを防止することができる。また、形材の凹溝の任意の位置に固定ボルトをねじ結合することができるので、取付金具の取付を容易にすることができると共に、取付位置の調整を容易にすることができる。
【００１９】
上記請求項８記載の発明において、上記表面板の辺部間に中空状枠材を介在させてパネル本体を形成し、上記枠材の側壁と形材の端部とを当接させると共に、枠材の側壁に、形材の凹溝と連通する連通口を穿設する方が好ましい（請求項９）。
【００２０】
このように構成することにより、形材の凹溝にて受け止めた雨水等を連通口を介して中空状枠材内に流し、その後、枠材の開口端から外部に排水することができる。
【００２１】
また、上記請求項８又は９記載の発明において、上記表面板と枠材、表面板と取付座及び枠材と取付座とをろう付する方が好ましい（請求項１０）。
【００２２】
このように構成することにより、固定ボルトと取付座とのねじ結合部以外の箇所からパネル本体内に侵入する雨水等を確実に防止することができる。
【００２３】
また、請求項１１記載の発明は、一対の表面板間にコア材を介在してなるパネル本体と、上記パネル本体の一方の表面板上の所定位置に設置される取付金具と、上記取付金具に設けられた取付孔を貫通して上記表面板の裏面側に配設される取付座にねじ結合することによって取付金具を固定する固定ボルトとを具備する積層パネルにおいて、  上記取付座を、取付座本体と、この取付座本体に貫挿固定され、かつ、その端部が表面板と略同一面に位置するねじ部材とで構成すると共に、ねじ部材と表面板とをろう付してなる、ことを特徴とする。
【００２４】
このように構成することにより、取付座と表面板との隙間を無くして雨水等の侵入を阻止することができる。
【００２５】
上記請求項１１記載の発明において、上記表面板の辺部間に中空状枠材を介在させてパネル本体を形成すると共に、上記枠材における表面板の当接片裏面に取付座本体を当接し、かつ、上記表面板と枠材、枠材と取付座本体及び枠材とねじ部材とをろう付する方が好ましい（請求項１２）。
【００２６】
このように構成することにより、取付座と表面板との当接部以外の表面板と枠材、枠材と取付座本体及び枠材とねじ部材の当接部の隙間を無くして、更に確実に雨水等の侵入を阻止することができる。また、取付金具の取付を強固にすることができる。
【００２７】
また、上記請求項１１又は１２記載の発明において、上記ねじ部材を有底状に形成する方が好ましい（請求項１３）。
【００２８】
このように構成することにより、固定ボルトとねじ部材とのねじ部を伝わって侵入する雨水等をねじ部材の底部で受け止めることができ、雨水等がパネル本体内へ侵入するのを防止することができる。
【００２９】
加えて、上記請求項１ないし１３のいずれかに記載の発明において、上記固定ボルトを、少なくともこの固定ボルトのねじ部にシール剤を塗布したシールボルトにて形成する方が好ましい（請求項１４）。
【００３０】
このように構成することにより、固定ボルトと取付座のねじ部を伝わって侵入する雨水等を更に確実に阻止することができる。
【００３１】
【発明の実施の形態】
以下、この発明の実施の形態を添付図面に基づいて詳述する。なお、図２１ないし図２３で示した従来の積層パネルの構造と同じ部分には同一符号を付して説明する。
【００３２】
◎第一実施形態
図１はこの発明の雨仕舞構造を有する取付金具の取付部の第一実施形態の要部を示す平面図、図２は図１のII−II線に沿う断面図、図３は図１のIII−III線に沿う断面図である。
【００３３】
上記取付金具５は、一対の表面板１間にコア材２を介在するパネル本体３の辺部側における中空状枠材４の上方に表面板１上に設置され、取付金具５に設けられた長孔状の取付孔７を貫通して、枠材４における表面板１の当接片４ａの裏面に当接される取付座２０のねじ部２１にねじ結合される固定ボルト６によって固定されている。
【００３４】
この場合、取付金具５と固定ボルト６の頭部６ａとの間には、取付金具５の取付孔７を塞ぐ大きさの合成ゴム製の円形状のシートパッキン１０と、このシートパッキン１０を取付金具５に押圧すべくシートパッキン１０と略同じ大きさの例えばステンレス製の円形状のパッキン押え１１が介在されて、外部からパネル本体３内への雨水等の侵入が阻止されている（図４参照）。なお、固定ボルト６の頭部６ａとパッキン押え１１との間にはスプリングワッシャ１２が介在されて、パッキン押え１１によってシートパッキン１０を取付金具５側に均一に押圧してシール性の向上が図れるようになっている。また、取付金具５とパネル本体３の表面板１との間には、取付金具５と略同一の大きさのゴムパッキンＰが介在されて、取付金具５とパネル本体３との当接部からの雨水等の侵入が阻止されている。
【００３５】
なお、上記表面板１はアルミニウム製の板材にて形成され、枠材４はアルミニウム製の押出形材にて中空矩形状に形成されている。コア材２はアルミニウム製の円筒状押出形材あるいはアルミニウム製の帯板を円筒状に屈曲加工したものにて形成されている。また、取付金具５はブラケット部５ａを直角状に屈曲したアングル状にステンレス製部材にて形成されている。また、固定ボルト６は、ステンレス製のボルトにて形成されている。この場合、固定ボルト６に、ねじ部にシール剤（図示せず）を塗布したシールボルトを用いることにより、固定ボルト６と取付座２０のねじ結合部のシール性の向上が図れる点で好ましい。
【００３６】
一方、取付座２０は、図２及び図３に示すように、平坦状基部２２ａの両側縁に一対の垂下片２２ｂを有するチャンネル状のステンレス製の取付座本体２２と、この取付座本体２２の平坦状基部２２ａに穿設された貫通孔２２ｃと合致するように配設されると共に、溶接によって固定されるステンレス製の矩形ブロック状ナット２３とで構成されている。
【００３７】
上記のように構成される表面板１、枠材４、コア材２及び取付座２０にてハニカムパネルを形成するには、まず、一方の表面板１を敷設して、この表面板１の周辺に枠材４を矩形状に枠組みし、枠材４の内方側空間にコア材２を配置する。この際、枠材４内の所定位置例えば角部付近に取付座２０を図示しないねじやリベットあるいは溶接等で固定しておく。次に、枠材４及びコア材の上面側に他方の表面板１を配置して、これら表面板１、枠材４、コア材、取付座２０をろう付にて一体成形する。
【００３８】
この場合、上記表面板１、枠材４及びコア材２のうちの少なくともコア材２は、その外表面にろう付用のろう材（ＪＩＳ  Ａ４０４５等）を用いたアルミニウムクラッド材にて形成されている。したがって、コア材２がアルミニウム製帯板を屈曲して形成される場合においても、パネル本体３の成形後においては、帯板の両端の分離部はろう付によって接合され、コア材２は完全に円筒状になる。なおこの場合、コア材２の側面に空気孔２ａを設けておく方が好ましい。空気孔２ａを設けることにより、パネル成形時の高温度下においてコア材２の中空部内で膨脹する空気を外部に排出することができ、パネルの成形性の向上を図ることができるからである。また、同様に上記枠材４の側壁４ｂにも空気孔４ｃが設けられている。
【００３９】
なお、表面板１、枠材４及びコア材２のいずれかを、その表面にろう材を用いたアルミニウムクラッド材にて形成することも可能であり、あるいは、表面板１、枠材４及びコア材２のいずれにもアルミニウムクラッド材を用いずに、それらの間にろう材を挟んで、熱処理時にろう材を溶かしてろう付するようにしてもよい。この場合、フラックスとして非腐食性フラックス例えばＫＦ＋Ａｌ3あるいはＫ ＡｌＦ4＋Ｋ3ＡｌＦ6＋Ｋ2ＡｌＦ5・Ｈ2Ｏ等のフラックスを用いて表面板１、枠材４及びコア材２を接合する方が好ましい。
【００４０】
上記のようにして成形されたパネル本体３に取付金具５を取り付けるには、まず、取付座２０が配設された位置に、ゴムパッキンＰを介して取付金具５を設置すると共に、取付座２０のナット２３と取付金具５の取付孔７を合致させる。この場合、取付座２０のナット２３の配設位置が判るように、パネル本体３に目印等を施しておく方がよい。次に、図４に示すように、取付金具５の取付孔７の上方にシートパッキン１０及びパッキン押え１１を配設すると共に、スプリングワッシャ１２を介して固定ボルト６のねじ部６ｂを、パッキン押え１１に設けられた貫通孔１１ａ、シートパッキン１０に設けられた貫通孔１０ａ及び取付孔７に貫通し、そして、取付座２０のナット２３にねじ結合して取付金具５をパネル本体３に固定する。この状態において、取付金具５と固定ボルト６の頭部６ａとの間に、シートパッキン１０及びパッキン押え１１が挟持されて、固定ボルト６のねじ部６ｂと取付孔７との隙間がシートパッキン１０によって外部から塞がれる。
【００４１】
上記のように、取付金具５と固定ボルト６の頭部６ａとの間に、シートパッキン１０及びパッキン押え１１を挟持して、固定ボルト６のねじ部６ｂと取付孔７との隙間をシートパッキン１０によって塞ぐことによって、従来のようにコーキング剤を塗布したり、充填することなく、雨水等が取付金具５の取付部からパネル本体３内に侵入するのを防止することができる。
【００４２】
◎第二実施形態
図５はこの発明の第二実施形態の要部を示す断面図、図６は図５の６部を拡大して示す断面図である。
【００４３】
第二実施形態は、固定ボルトと取付座とのねじ結合部にシール性を持たせた場合である。すなわち、固定ボルト６のねじ部６ｂと、取付座２０に設けられたねじ孔２０ａとの間に、水膨潤シール部材４０を介在させてシール性の向上を図れるようにした場合である。
【００４４】
この場合、水膨潤シール部材４０は、図７及び図８に示すように、パネル本体３に設けられた段付の取付孔３ａに係止する外向きフランジ４１と、筒状部４２とを有する筒状体にて形成されると共に、固定ボルト６のねじ部６ｂによって切裂き可能な肉薄の底部４３が形成されている。このように形成される水膨潤シール部材４０は、例えば水膨張性ポリウレタン等のような水分と接触して膨張する性質を有する材料にて形成する方が好適である。
【００４５】
上記のように形成される水膨潤シール部材４０を、図７に示すように、予めパネル本体３に設けられた段付きの取付孔３ａに係止固定しておく。この状態において、水膨潤シール部材４０は、使用前（取付金具５の取付前）の取付孔３ａのシールキャップの作用をする。そして、パネル本体３の上面に取付金具５をセットした後、平ワッシャ１３を介して固定ボルト６のねじ部６ｂを水膨潤シール部材４０内に挿入すると共に、底部４３を切裂いて取付座２０のねじ孔２０ａにねじ結合することで、水膨潤シール部材４０が固定ボルト６のねじ部６ｂと取付座２０のねじ孔２０ａとの間、及びねじ部６ｂとパネル本体３の取付孔３ａとの間に密接した状態に介在される。この際、ねじ部６ｂとねじ孔２０ａとの間に水膨潤シール部材４０が巻き込まれた状態で介在されるので、水密性の高いシール構造とすることができる。
【００４６】
したがって、固定ボルト６とパネル本体３及び取付座２０との隙間を水膨潤シール部材４０にてシールすることができるので、外部からパネル本体３内への雨水等の侵入を阻止することができる。しかも、水膨潤シール部材４０は、雨水等の水分と接触することにより膨張するので、更にシール性を高めることができる。また、使用前（取付金具５の取付前）に取付孔３ａを水膨潤シール部材４０にて閉塞することで、使用前のパネル本体３内に雨水等が侵入するのを阻止することができる。
【００４７】
なお、第二実施形態において、その他の部分は、上記第一実施形態と同じであるので、同一部分には同一符号を付して説明は省略する。
【００４８】
◎第三実施形態
図９はこの発明の第三実施形態の要部を拡大して示す断面図、図１０は図９のＸ−Ｘ線に沿う断面図、図１１は図９のXI−XI線に沿う断面図である。
【００４９】
第三実施形態は、上記第二実施形態とは別に固定ボルトと取付座とのねじ結合部にシール性を持たせた場合である。すなわち、取付座２０Ａのねじ部２６を有底状に形成して、固定ボルト６と取付座２０Ａとのねじ結合部から雨水等がパネル本体３内に侵入するのを阻止するようにしたした場合である。
【００５０】
この場合、取付座２０Ａは、アルミニウム製押出形材を所定の寸法に切断したピース状に形成されている。この取付座２０Ａは、図１２に示すように、矩形ブロック２４ａと、この矩形ブロック２４ａの上端の対向する辺に延在する一対の外向きフランジ２４ｂとで構成されており、矩形ブロック２４ａに、後述するセルフタッピング・インサート２５をねじ込むことで、有底状のねじ部２６が形成されている。
【００５１】
上記のように形成される取付座２０Ａは、上記中空状枠材４における表面板１の当接片４ａ裏面に当接されて皿子ねじ２７にて固定されると共に、枠材４との間に介在されるろう材Ｒ（置きろう）によって枠材４の中空部内に配設される。この取付座２０Ａは、上述した工程によって成形されるパネル本体３の成形と同時に、ろう付によって枠材４の中空部内に配設される。この場合、取付座２０Ａの外向きフランジ２４ｂの上面、すなわち枠材４の当接片４ａの裏面に当接する面に図１２に二点鎖線で示すような凹凸細条２４ｃを設けておけば、ろう付を良好にすることができる。
【００５２】
上記のようにして取付座２０Ａを配設したパネル本体３に、取付金具５を取り付けるには、まず、取付座２０Ａが配設された位置に向かって表面板１及び枠材４（具体的には表面板当接片４ａ）を介して取付座２０Ａの矩形ブロック２４ａにセルフタッピング・インサート２５ねじ込んで有底状のねじ部２６を形成する。なお、予め矩形ブロック２４ａにセルフタッピング・インサート２５をねじ込んで有底状ねじ部２６を形成することも可能である。次に、取付金具５と略同一の大きさのゴムパッキンＰを介して取付金具５を設置し、取付金具５の取付孔７に固定ボルト６のねじ部６ｂを貫通して取付座２０Ａの有底状ねじ部２６にねじ結合して、取付金具５を固定する。なおこの場合、固定ボルト６の頭部６ａと取付金具５との間には、スプリングワッシャ１２及び平ワッシャ１３が介在されている。
【００５３】
上記のように、固定ボルト６を有底状ねじ部２６を有する取付座２０Ａにねじ結合して取付金具５を取り付けることにより、固定ボルト６と取付座２０Ａのねじ部を伝わって侵入する雨水等を取付座２０Ａの底部で受け止めることができるので、雨水等がパネル本体内へ侵入するのを防止することができる。この場合、固定ボルト６をねじ部６ｂにシール剤を塗布したシールボルトにて形成することにより、固定ボルト６と取付座２０Ａのねじ部を伝わって侵入する雨水等を更に確実に阻止することができる。なお、取付座２０Ａの底部に溜まった雨水等は外気温度によって自然蒸発される。
【００５４】
なお、第三実施形態において、その他の部分は上記第一実施形態と同じであるので、同一部分には同一符号を付して説明は省略する。
【００５５】
◎第四実施形態
図１３はこの発明の第四実施形態の雨仕舞構造を有する積層パネルの一部を断面で示す平面図、図１４は図１３のXIV−XIV線に沿う断面図である。
【００５６】
第四実施形態は、固定ボルトと取付座とのねじ結合部にシール性を持たせると共に、当該ねじ結合部から侵入する雨水等を外部に排水するようにした場合である。すなわち、図１４及び図１５に示すように、取付座２０Ｂを、凹溝２８ａの開口側両端に一対の外向きフランジ２８ｂを延在する断面略逆ハット状のアルミニウム製押出形材にて形成すると共に、凹溝２８ａの内側面に凹溝２８ａの深さ方向に連続する凹凸条２９を形成し、この凹凸条２９を固定ボルト６のねじ部とし、また、上記枠材４の側壁４ｂと形材すなわち取付座２０Ｂの端部とを当接させると共に、枠材４の側壁４ｂに、取付座２０Ｂの凹溝２８ａと連通する連通口３０を穿設した場合である（図１３及び図１６参照）。
【００５７】
この場合、取付座２０Ｂと表面板１、枠材４及びコア材２は、それぞれろう材Ｒを介してろう付されている。なお、取付座２０Ｂを配設した部分には、図１４に示すような高さの異なるコア材２Ａ，２Ｂが配設されている。
【００５８】
上記のようにして取付座２０Ｂを配設したパネル本体３に、取付金具５を取り付けるには、まず、取付座２０Ｂが配設された位置に、ゴムパッキンＰを介して取付金具５を設置し、取付金具５の取付孔７に固定ボルト６のねじ部６ｂを貫通して取付座２０Ｂの凹溝２８ａにねじ結合して、取付金具５を固定することができる。したがって、取付金具５を取付座２０Ｂの凹溝２８ａに沿わせて調節することができるので、取付金具５の取付を容易にすることができる。なおこの場合、固定ボルト６の頭部６ａと取付金具５との間には、スプリングワッシャ１２が介在されているが、上記第三実施形態と同様に、スプリングワッシャ１２と共に平ワッシャ１３を介在させてもよい。
【００５９】
上記のように、固定ボルト６を取付座２０Ｂにねじ結合して取付金具５を取り付けることにより、固定ボルト６と取付座２０Ｂのねじ部を伝わって侵入する雨水等を取付座２０Ｂの底部で受け止めることができるので、雨水等がパネル本体内へ侵入するのを防止することができる。また、凹溝２８ａ内に受け止められた雨水等は連通口３０を介して中空枠材４内に流れた後、枠材４の開口から外部に排水される。なお、固定ボルト６をねじ部６ｂにシール剤を塗布したシールボルトにて形成することにより、固定ボルト６と取付座２０Ｂのねじ部を伝わって侵入する雨水等を更に確実に阻止することができる。
【００６０】
また、上記のように、取付座２０Ｂをパネル本体３の対向する両辺に介在される枠材４間に配設することにより、積層パネル自体の強度を向上させることができると共に、取付金具５を強固に取り付けることができる。なお、取付座２０Ｂを両枠材４に当接しない場合には、図１５に示すように、取付座２０Ｂの凹溝２８ａの開口端を塞ぎ板３１にて閉塞する方が好ましい。なお、塞ぎ板３１はアルミニウム製板材にて形成することにより、取付座２０Ｂにろう付することができる。
【００６１】
なお、第四実施形態において、その他の部分は上記第一実施形態ないし第三実施形態と同じであるので、同一部分には同一符号を付して説明は省略する。
【００６２】
◎第五実施形態
図１７はこの発明の第五実施形態の要部を示す断面図、図１８は第五実施形態における取付座の取付状態を示す拡大断面図である。
【００６３】
第五実施形態は、取付座２０Ｃとパネル本体３の表面板１とにシール性を持たせるようにした場合である。すなわち、取付座２０Ｃを、図１８及び図１９に示すように、上記中空状枠材４の表面板当接片４ａの裏面に当接する取付座本体３２ａと、この取付座本体３２ａに貫挿固定され、かつ、その端部がパネル本体３の表面板１と略同一面に位置するねじ部材３２ｂとで構成すると共に、ねじ部材３２ｂと表面板１及び取付座本体３２ａと枠材４とをろう付した場合である。
【００６４】
この場合、取付座本体３２ａは、略チャンネル状のステンレス製部材にて形成されており、取付座本体３２ａの平坦部の中央部に穿設された円形孔３２ｃに、ステンレス製の円柱状のねじ部材３２ｂが貫挿されて、取付座２０Ｃが形成されている。なお、ねじ部材３２ｂは必ずしも円柱状である必要はなく、例えば四角あるいは六角等の角柱状にしてもよい。この場合は、円柱孔３２ｃに代えて四角孔あるいは六角孔を取付座本体３２ａの平坦部に穿設すればよい。
【００６５】
上記のように形成される取付座２０Ｃをパネル本体３に配設するには、図１４に示すように、表面板１及び枠材４表面板当接片４ａに穿設された貫通孔１ａ，４ｄ内にろう材Ｒ（置きろう）を介して取付座２０Ｃのねじ部材３２ｂを遊嵌すると共に、取付座本体３２ａをろう材Ｒ（置きろう）を介して枠材４の表面板当接片４ａの裏面に当接して、上述したパネル本体３の成形と同時にろう付する。
【００６６】
上記のようにして成形されたパネル本体３に取付金具５を取り付けるには、まず、取付座２０Ｃが配設された位置に、ゴムパッキンＰを介して取付金具５を設置し、取付金具５の取付孔７に固定ボルト６のねじ部６ｂを貫通して取付座２０Ｃのねじ部材３２ｂにねじ結合して、取付金具５を固定することができる。なおこの場合、固定ボルト６の頭部６ａと取付金具５との間には、スプリングワッシャ１２と平ワッシャ１３が介在されている。
【００６７】
上記のように、取付座２０Ｃのねじ部材３２ｂを外部に露出させた状態とすることにより、取付金具５の取付を容易にすることができる。しかも、取付座２０Ｃと表面板１及び枠材４とがろう付されているので、取付座２０Ｃの取付部から雨水等がパネル本体３内に侵入するのを阻止することができる。
【００６８】
なおこの場合、図２０に示すように、取付座２０Ｃのねじ部材３２ｂの開口端に底板３３を固着することにより、有底状ねじ部とすることができるので、固定ボルト６と取付座２０Ｃとのねじ部から侵入する雨水等を底板３３にて受け止めることができる。また、固定ボルト６を、ねじ部６ｂにシール剤を塗布したシールボルトにて形成することにより、更に雨水等の侵入を確実に阻止することができる。
【００６９】
なお、第五実施形態において、その他の部分は上記第一実施形態ないし第四実施形態と同じであるので、同一部分には同一符号を付して説明は省略する。
【００７０】
◎その他の実施形態
上記実施形態では、取付金具５がブラケット部５ａを有するアングル状の場合について説明したが、その他の形状の取付金具についても同様にパネル本体３に取り付けることができ、取付部の雨仕舞を良好にすることができる。
【００７１】
また、上記実施形態では、コア材が円筒状の場合について説明したが、コア材は必ずしも円筒状である必要はなく、例えばアルミニウム製の三角筒状，五角筒状あるいは六角筒状等の任意の中空体にて形成してもよい。
【００７２】
上記実施形態では、取付金具５が積層パネルの４箇所に配置される場合について説明したが、取付金具５の配置箇所及び配置数は任意でよく、例えば積層パネルの６箇所あるいは８箇所等に取付金具５を取り付けることも可能である。
【００７３】
【発明の効果】
以上に説明したようにこの発明の積層パネルの雨仕舞構造によれば、上記のように構成されるので、以下のような優れた効果が得られる。
【００７４】
１）請求項１記載の発明によれば、取付金具の取付孔と固定ボルトとの隙間をシートパッキンにて閉塞することができるので、外部からパネル本体内への雨水等の侵入を阻止することができ、雨仕舞の信頼性の向上及びメンテナンスの向上が図れる。
【００７５】
２）請求項２〜４記載の発明によれば、固定ボルトのねじ部と取付座のねじ孔との間に水膨潤シール部材を巻き込んだ状態に介在することができるので、固定ボルトとパネル本体及び取付座との隙間を水膨潤シール部材にてシールすることができると共に、外部からパネル本体内への雨水等の侵入を阻止することができる。更に、水膨潤シール部材は、雨水等の水分と接触することにより膨張するので、更にシール性の向上を図ることができる。また、水膨潤シール部材に底部を形成することにより、使用前（取付金具の取付前）には、取付孔のシールキャップとして使用することができるので、使用前におけるパネル本体内への雨水等の侵入を阻止することができる。
【００７６】
３）請求項５記載の発明によれば、固定ボルトと取付座のねじ部を伝わって侵入する雨水等を取付座の底部で受け止めることができ、雨水等がパネル本体内へ侵入するのを防止することができるので、雨仕舞の信頼性の向上及びメンテナンスの向上が図れる。
【００７７】
４）請求項６記載の発明によれば、上記１）〜３）に加えてコア材側への雨水等の侵入を更に少なくすることができると共に、取付金具の取付を強固にすることができる。この場合、取付座における枠材の当接片裏面に当接する面に、凹凸細条を形成することにより、取付座のろう付を強固にすることができるので、取付金具の取付を更に強固にすることができる（請求項７）。
【００７８】
５）請求項８記載の発明によれば、固定ボルトと形材の凹凸条とのねじ部を伝わって侵入する雨水等を凹溝の底部で受け止めることができ、雨水等がパネル本体内へ侵入するのを防止することができ、雨仕舞の信頼性の向上及びメンテナンスの向上が図れる。また、形材の凹溝の任意の位置に固定ボルトをねじ結合することができるので、取付金具の取付を容易にすることができると共に、取付位置の調整を容易にすることができる。
【００７９】
６）請求項９記載の発明によれば、上記５）に加えて形材の凹溝にて受け止めた雨水等を連通口を介して中空状枠材内に流し、その後、枠材の開口端から外部に排水することができる。
【００８０】
７）請求項１０記載の発明によれば、上記５）、６）に加えて固定ボルトと取付座とのねじ結合部以外の箇所からパネル本体内に侵入する雨水等を確実に防止することができる。
【００８１】
８）請求項１１記載の発明によれば、取付座と表面板との隙間を無くして雨水等の侵入を阻止することができ、雨仕舞の信頼性の向上及びメンテナンスの向上が図れる。
【００８２】
９）請求項１２によれば、取付座と表面板との当接部以外の表面板と枠材、枠材と取付座本体及び枠材とねじ部材の当接部の隙間を無くして、更に確実に雨水等の侵入を阻止することができる。また、取付金具の取付を強固にすることができる。
【００８３】
１０）請求項１３記載の発明によれば、上記８）、９）に加えて固定ボルトとねじ部材とのねじ部を伝わって侵入する雨水等をねじ部材の底部で受け止めることができ、雨水等がパネル本体内へ侵入するのを防止することができる。
【００８４】
１１）請求項１４記載の発明によれば、固定ボルトと取付座のねじ部を伝わって侵入する雨水等を更に確実に阻止することができるので、上記１）〜１０）に加えて更に雨仕舞の信頼性の向上及びメンテナンスの向上が図れる。
【図面の簡単な説明】
【図１】この発明の雨仕舞構造を有する取付金具の取付部の第一実施形態の要部を示す平面図である。
【図２】図１のII−II線に沿う断面図である。
【図３】図１のIII−III線に沿う断面図である。
【図４】第一実施形態におけるシートパッキンとパッキン押えを示す分解斜視図である。
【図５】この発明の第二実施形態の要部を示す断面図である。
【図６】図５のVI部を拡大して示す断面図である。
【図７】第二実施形態においる水膨潤シール部材の取付状態を示す断面図である。
【図８】上記水膨潤シール部材の断面斜視図である。
【図９】この発明の第三実施形態の要部を示す拡大断面図である。
【図１０】図９のＸ−Ｘ線に沿う断面図である。
【図１１】図９のXI−XI線に沿う断面図である。
【図１２】第三実施形態における取付座を示す斜視図である。
【図１３】この発明の第四実施形態の雨仕舞構造を有する積層パネルの一部を断面で示す平面図である。
【図１４】図１３のXIV−XIV線に沿う断面図である。
【図１５】第四実施形態における取付座を示す斜視図である。
【図１６】第四実施形態における枠材と取付座との連通部を示す断面図である。
【図１７】この発明の第五実施形態の要部を示す断面図である。
【図１８】第五実施形態における取付座の取付状態を示す拡大断面図である。
【図１９】第五実施形態における取付座を示す斜視図である。
【図２０】第五実施形態における別の形態を示す断面図である。
【図２１】取付金具を取り付けた積層パネルを示す斜視図（ａ）及び従来の取付金具の取付状態を示す斜視図（ｂ）である。
【図２２】従来の取付金具の取付部を示す断面図である。
【図２３】従来の取付金具の取付部の拡大断面図である。
【符号の説明】
Ｒ  ろう材
１  表面板
２  コア材
３  パネル本体
４  中空状枠材
４ａ  表面板当接片
５  取付金具
６  固定ボルト
６ａ  固定ボルトの頭部
６ｂ  固定ボルトのねじ部
７  取付孔
１０  シートパッキン
１１  パッキン押え
２０，２０Ａ〜２０Ｃ  取付座
２０ａ  ねじ孔
２１  ねじ部
２２  取付座本体
２３  ブロック状ナット
２５  セルフタッピング・インサート
２６  有底状ねじ部
２８ａ  凹溝
２９  凹凸条
３０  連通口
３２ａ  取付座本体
３２ｂ  ねじ部材
３３  底板
４０  水膨潤シール部材
４１  外向きフランジ
４２  筒状部
【図１】
0003959701.tif 000002
【図２】
0003959701.tif 000003
【図３】
0003959701.tif 000004
【図４】
0003959701.tif 000005
【図５】
0003959701.tif 000006
【図６】
0003959701.tif 000007
【図７】
0003959701.tif 000008
【図８】
0003959701.tif 000009
【図９】
0003959701.tif 000010
【図１０】
0003959701.tif 000011
【図１１】
0003959701.tif 000012
【図１２】
0003959701.tif 000013
【図１３】
0003959701.tif 000014
【図１４】
0003959701.tif 000015
【図１５】
0003959701.tif 000016
【図１６】
0003959701.tif 000017
【図１７】
0003959701.tif 000018
【図１８】
0003959701.tif 000019
【図１９】
0003959701.tif 000020
【図２０】
0003959701.tif 000021
【図２１】
0003959701.tif 000022
【図２２】
0003959701.tif 000023
【図２３】
0003959701.tif 000024